(57)【要約】      （修正有）【課題】伝動性がよく、装置構成をコンパクトにすることができ、装置携帯性を向上することができるスキャナーの伝動装置を提供する。【解決手段】出力軸１２がケーシング１００に装着される本体１１を貫通するように本体１１の両側より突き出て所定の第１の軸線方向に沿って横たわる駆動手段１０と、それぞれが第１の軸線方向Ｌ１沿いに出力軸１２の両端部のそれぞれに装着される２つのウォーム軸２０、２０と、互いに所定の間隔をおいてケーシング１００に軸支されて回転可能に第１の軸線方向Ｌ１と直角の第２の軸線方向Ｌ２に沿って延びて設けられる２つの回転軸３０、３０と、それぞれが対応するウォーム軸２０、２０と噛み合うように回転軸３０、３０に装着される２つのウォームホイール４０、４０とを備えている。【選択図】図２
0003169047.tif 000002
【実用新案登録請求の範囲】
【請求項１】
ケーシングを備えたスキャナーに用いられる伝動装置であって、
前記ケーシングに装着される本体を有し、駆動力を出力する出力軸が該本体を貫通するように該本体の両側より突き出て所定の第１の軸線方向に沿って横たわる駆動手段と、
それぞれが前記第１の軸線方向沿いに前記出力軸の前記本体の両側より突き出た両端部のそれぞれに装着される２つのウォーム軸と、
互いに所定の間隔をおいて前記ケーシングに軸支されて回転可能に前記第１の軸線方向と直角の第２の軸線方向に沿って延びて設けられる２つの回転軸と、
それぞれが対応する前記ウォーム軸と噛み合うように前記回転軸に装着される２つのウォームホイールと、
を備えていることを特徴とする伝動装置。
【請求項２】
前記駆動手段として、サーボモータを用いることを特徴とする請求項１に記載の伝動装置。
【考案の詳細な説明】
【技術分野】
【０００１】
本考案は、例えばスキャナーなどの事務機器に用いられる伝動装置に関する。
【背景技術】
【０００２】
図４は、スキャナーの伝動装置の従来例を示す。図中、１はスキャナーのケーシングであり、ケーシング１には、概ねモータ２と、第１の回転軸３と、第２の回転軸４と、ウォーム５と、が取り付けられている。ウォーム５は、モータ２の出力軸２０１に装着され、出力軸２０１を介してモータ２の駆動力を受けて回転するウォーム軸５０１と、第１の回転軸３に装着され、ウォーム軸５０１と噛み合う駆動ホイール５０２と、それぞれ第１の回転軸３及び第２の回転軸４とに装着された第１の歯車５０３及び第２の歯車５０４と、ケーシング１に軸支され第１の歯車５０３及び第２の歯車５０４とそれぞれ噛み合う遊び歯車５０５と、を備えている。ウォーム軸５０１が出力軸２０１を介してモータ２からの駆動力を受けて回転すると、駆動ホイール５０２と第１の回転軸３とが回転する。第１の回転軸３の回転に連動して第１の歯車５０３が回転する。第１の歯車５０３の回転に連動して遊び歯車５０５が回転し、そして第２の歯車５０４も回転する。第２の回転軸４も連動して回転することができる。
【考案の概要】
【考案が解決しようとする課題】
【０００３】
しかしながら、スキャナーは、従来のウォーム伝動装置によってウォーム５を介してモータ２の駆動力が良好に伝達されて作動することができるが、モータ２がウォーム５の上側に高く取り付けられているので、該伝動装置を備えるスキャナーの大型化を招き、携帯便利性が悪いといった問題点がある。また、ウォーム軸５０１や回転軸３、４、駆動ホイール５０２、歯車５０３、５０４などによる噛み合う歯車が多く駆動力の伝動経路が長くなり、伝動効率が悪化するといった問題点もある。
【０００４】
本考案は、上記問題点に鑑みてなされたものであり、伝動性がよく、また、部品点数が少なく、装置構成をコンパクトにすることができ、装置携帯性を向上することができるスキャナーの伝動装置を提供することを目的とする。
【課題を解決するための手段】
【０００５】
上記目的を達成するために、本考案のスキャナーの伝動装置は、ケーシングを備えたスキャナーに用いられる伝動装置であって、ケーシングに装着される本体を有し、駆動力を出力する出力軸が本体を貫通するように本体の両側より突き出て所定の第１の軸線方向に沿って横たわる駆動手段と、それぞれが第１の軸線方向沿いに出力軸の本体の両側より突き出た両端部のそれぞれに装着される２つのウォーム軸と、互いに所定の間隔をおいてケーシングに軸支されて回転可能に第１の軸線方向と直角の第２の軸線方向に沿って延びて設けられる２つの回転軸と、それぞれが対応するウォーム軸と噛み合うように回転軸に装着される２つのウォームホイールと、を備えていることを特徴とする。
【０００６】
前記駆動手段は、一例としてサーボモータを用いる。
【考案の効果】
【０００７】
本考案に係る伝動装置は以上の構成により、駆動手段がケーシングより高く突き出ずにウォーム軸、ウォームホイールの間に設けられているので、該伝動装置を備えたスキャナーはかさばることなく、コンパクトにすることができ、装置携帯性が良い。また、ウォーム軸が出力軸を介する駆動手段からの駆動力を直接受けて回転することに連動してウォームホイールが回転することにより回転軸が回転することができるようになっているため、駆動力の伝動経路が短くなり、伝動効率を向上することができる。また、相互に噛み合うための部品点数が少なくなったので、従来のようにウォーム軸５０１や回転軸３、４、駆動ホイール５０２、歯車５０３、５０４などによる相互に噛み合うための組立工数を減らすことができ、組立手間がかからず製造コストの低減を図ることができる。
【図面の簡単な説明】
【０００８】
【図１】本考案に係る伝動装置の実施例を示す組立斜視図である。
【図２】本考案に係る伝動装置の一部を示す側面図である。
【図３】本考案に係る伝動装置の実施例を示す正面図である。
【図４】伝動装置の従来例を示す。
【考案を実施するための形態】
【０００９】
以下、本考案に係る一実施例を図面に基づいて説明する。しかしながら、各図面が例示と説明のためだけに提供されており、本考案を制限することを意図していないことは特に理解されるべきである。
【００１０】
図１は、本考案に係る伝動装置の実施例を示す組立斜視図、図２は、該伝動装置の一部を示す側面図、図３は、該伝動装置の正面図である。本考案に係る伝動装置は、事務機器、例えばスキャナー（図示せず）に用いられるものである。スキャナーは、例えば長方形を呈するケーシング１００を有し、該ケーシング１００の正面中央に所定の取付け空間を画成する取付枠１０１を設けている。
【００１１】
本考案に係るスキャナーの伝動装置は、図示の如く、ケーシング１００に装着され、駆動手段１０と、２つのウォーム軸２０、２０と、２本の回転軸３０、３０と、２つのウォームホイール４０、４０と、を備えている。
【００１２】
駆動手段１０は、この例においてサーボモータを用い、本体１１がケーシング１００より高く突き出ずにその正面側に設けられた取付枠１０１に収まるように設置されており、駆動手段１０の駆動力を受けて出力する出力軸１２が所定の軸線方向、例えばケーシング１００の短手方向Ｌ１（図２参照）に沿って本体１１を貫通するように本体１１の両側より突き出て設けられている。
【００１３】
ウォーム軸２０、２０は、ケーシング１００の短手方向Ｌ１に沿って横たわるように取付枠１０１の両側に出力軸１２の両端部１２１、１２２にそれぞれ装着されている。
【００１４】
回転軸３０、３０はそれぞれ、ケーシング１００の長手方向Ｌ２に沿って延びてそれぞれの一端部がケーシング１００の正面より突き出るようにケーシング１００内に回転可能に配置されている。
【００１５】
ウォームホイール４０、４０はそれぞれ、ウォーム軸２０、２０のそれぞれと噛み合うように取付枠１０１の両側に回転軸３０、３０の突き出たそれぞれの一端部に装着されている。
【００１６】
次に、本考案に係る伝動装置の動作及び作用を説明する。
【００１７】
ウォーム軸２０、２０が出力軸１２を介して駆動手段１０からの駆動力を受けて回転すると、ウォームホイール４０、４０が回転する。ウォームホイール４０、４０の回転に従って、回転軸３０、３０は連動して同一向きに回転することができる。
【００１８】
以上により、駆動手段１０がケーシング１００より高く突き出ずにウォーム軸２０、２０、ウォームホイール４０、４０の間に設けられているので、本考案の伝動装置を備えたスキャナーはかさばることなく、コンパクトにすることができ、装置携帯性が良い。
【００１９】
また、回転軸３０、３０は、ウォーム軸２０、２０が出力軸１２を介して駆動手段１０からの駆動力を直接受けて回転し、ウォームホイール４０、４０が連動回転することにより回転することができるため、駆動力の伝動経路が短くなり、伝動効率を向上することができる。
【００２０】
また、相互に噛み合うための部品点数が少なくなったので、従来のようにウォーム軸５０１や回転軸３、４、駆動ホイール５０２、歯車５０３、５０４などによる相互に噛み合うための組立工数を減らすことができ、組み立てる手間がかからず製造コストの低減を図ることができる。
【産業上の利用可能性】
【００２１】
本考案に係る伝動装置は、例えばスキャナーなどの事務機器の伝動装置として有用である。
【符号の説明】
【００２２】
１００  ケーシング                        １１  本体
１０１  取付枠                            １００  ケーシング
１０  駆動手段                            １２  出力軸
２０  ウォーム軸                          Ｌ１  短手方向（第１の軸線方向）
３０  回転軸                              １２１、１２２  端部
４０  ウォームホイール                    Ｌ２  長手方向（第２の軸線方向）
【図１】
0003169047.tif 000003
【図２】
0003169047.tif 000004
【図３】
0003169047.tif 000005
【図４】
0003169047.tif 000006